(57)【要約】【課題】設置スペースやコスト負担の増加を招くことなく、用途に応じて高音質を実現することが可能なスピーカ装置を提供する。【解決手段】スピーカ装置２は、スピーカユニット３が設けられる直方体形状の筐体４を備える。筐体４は、スピーカユニット３が配置される第１面４Ａと、第１面４Ａと一辺４Ｃが接する第２面４Ｂとを有する。第１面４Ａ及び第２面４Ｂには、取り付け孔１５，１６を備える。取り付け孔１５，１６は、筐体４を支持する脚部１７が着脱自在に取り付けられる。第１面４Ａの取り付け孔１５は、フロントグリル２０と、脚部１７とを選択的に取り付け可能である。スピーカ装置２は、第１面４Ａが前面で且つ第２面４Ｂが底面となる第１の姿勢と、第１面４Ａが底面となる第２の姿勢とで使用できる。【選択図】図２
2016146557.tif 000002
【特許請求の範囲】
【請求項１】
スピーカユニットが配置される第１面と、前記第１面と一辺が接する第２面とを有する筐体と、
前記第１面と第２面の両方に設けられ、前記筐体を支持する脚部を着脱自在に取り付け可能な取り付け部とを備えることを特徴とするスピーカ装置。
【請求項２】
前記第１面が前面で、且つ前記第２面が底面となる第１の姿勢と、
前記第１面が底面となる第２の姿勢とで使用可能であることを特徴とする請求項１に記載のスピーカ装置。
【請求項３】
前記スピーカユニットとして低音用スピーカユニットのみを用いたサブウーハであることを特徴とする請求項１または２に記載のスピーカ装置。
【請求項４】
前記第２面は、電気信号や駆動電力を入力するための入力端子又は操作部の少なくとも一方が配置される端子配置面であることを特徴とする請求項１〜３のいずれか１項に記載のスピーカ装置。
【請求項５】
前記第１面には、作動状況を表すパイロットランプが設けられていることを特徴とする請求項４に記載のスピーカ装置。
【請求項６】
前記パイロットランプは、前記第１面において、前記スピーカユニットの周囲であって、前記第２面と接する前記一辺よりも、対向する対辺に近い位置に配置されていることを特徴とする請求項５に記載のスピーカ装置。
【請求項７】
前記取り付け部は、取り付け孔又は取り付け凸部であることを特徴とする請求項１〜６のいずれか１項に記載のスピーカ装置。
【請求項８】
前記第１面及び第２面の各前記取り付け部のうち、少なくとも前記第１面の前記取り付け部は、前記スピーカユニットを保護するフロントグリルと、前記脚部とを選択的に取り付け可能であることを特徴とする請求項１〜７のいずれか１項に記載のスピーカ装置。
【請求項９】
前記第２面の前記取り付け部も、前記スピーカユニットを保護するフロントグリルと、前記脚部とを選択的に取り付け可能であることを特徴とする請求項８に記載のスピーカ装置。
【請求項１０】
前記取り付け孔は、内周面に雌ネジが形成されたネジ孔であり、前記脚部と一体に設けられた取り付けネジと螺合することを特徴とする請求項９に記載のスピーカ装置。
【請求項１１】
前記ネジ孔には、一方の端部に、前記ネジ孔と螺合する雄ネジ部を有し、他方の端部に、前記フロントグリルと嵌合する嵌合ピンが形成されたピン部材を取り付けることが可能であり、
前記フロントグリルは、前記ピン部材を介して前記筐体に取り付けられることを特徴とする請求項１０に記載のスピーカ装置。
【発明の詳細な説明】
【技術分野】
【０００１】
本発明は、脚部を取り付け可能なスピーカ装置に関するものである。
【背景技術】
【０００２】
従来、高音質な音響を再生するために、さまざまな種類のスピーカ装置が製造及び販売されている。その１つとしてサブウーハが知られている。サブウーハは、メインスピーカ装置（フロントスピーカなどとも呼ばれる）と組み合わせて用いられるスピーカ装置であり、主として、メインスピーカ装置だけでは不足する低音域を補うために用いられる。サブウーハは、主として音楽再生に適したオーディオ用のスピーカシステムに使用される他、映画などの映像付きの音声の再生に適したホームシアター用のスピーカシステムにも使用される。
【０００３】
こうしたユーザの用途に対応するために、サブウーハとしては、スピーカユニットが配置されるバッフル面を筐体の前面とするタイプ（特許文献１〜３）と、バッフル面を筐体の底面とするタイプ（特許文献４、５）とが知られている。一般に、バッフル面を筐体の前面とする前面タイプのサブウーハは、音に指向性が求められるオーディオ用途に適しており、バッフル面を筐体の底面とする底面タイプは、指向性よりも、より重低音の再生を重視するホームシアター用途に適している。底面タイプでは、サブウーハを設置する設置面となる床と、バッフル面とが対向するため、床の反響が大きくなりより重低音を出しやすいためである。
【先行技術文献】
【特許文献】
【０００４】
【特許文献１】特開２００６−４１９９１号公報
【特許文献２】特開２０１２−４８８０８号公報
【特許文献３】実開平０４−４８７９０号公報
【特許文献４】特開２００８−１７８０５０号公報
【特許文献５】特開２００７−１１６４２１号公報
【発明の概要】
【発明が解決しようとする課題】
【０００５】
このようにサブウーハには用途に応じた適性があるため、用途に応じて各サブウーハが使い分けられるのが理想的である。
【０００６】
しかしながら、一般的なユーザにとっては、複数種類のサブウーハを購入し、用途に応じて両者を使い分けることは、増加する設置スペースを確保しにくいという問題や、コスト負担が増加するという問題があり、障害が大きい。その一方で、できるだけ高音質を追求したいというユーザの要望も少なからずあり、メーカーに対しては、そうしたユーザの要望をかなえる商品開発への期待も大きい。
【０００７】
本発明は、設置スペースやコスト負担の増加を招くことなく、用途に応じて高音質を実現することが可能なスピーカ装置を提供することを目的とする。
【課題を解決するための手段】
【０００８】
上記目的を達成するために、本発明のスピーカ装置は、筐体と、取り付け部とを備える。筐体は、スピーカユニットが配置される第１面と、第１面と一辺が接する第２面とを有する。取り付け部は、第１面と第２面の両方に設けられ、筐体を支持する脚部を着脱自在に取り付け可能となっている。
【０００９】
第１面が前面で、且つ第２面が底面となる第１の姿勢と、第１面が底面となる第２の姿勢とで使用可能であることが好ましい。
【００１０】
スピーカユニットとして低音用スピーカユニットのみを用いたサブウーハであることが好ましい。
【００１１】
第２面は、電気信号や駆動電力を入力するための入力端子又は操作部の少なくとも一方が配置される端子配置面であることが好ましい。
【００１２】
第１面には、作動状況を表すパイロットランプが設けられていることが好ましい。また、パイロットランプは、第１面において、スピーカユニットの周囲であって、第２面と接する一辺よりも、対向する対辺に近い位置に配置されていることが好ましい。
【００１３】
取り付け部は、取り付け孔又は取り付け凸部であることが好ましい。第１面及び第２面の各取り付け部のうち、少なくとも第１面の取り付け部は、スピーカユニットを保護するフロントグリルと、脚部とを選択的に取り付け可能であることが好ましい。
【００１４】
第２面の取り付け部も、スピーカユニットを保護するフロントグリルと、脚部とを選択的に取り付け可能であることが好ましい。
【００１５】
取り付け孔は、内周面に雌ネジが形成されたネジ孔であり、脚部と一体に設けられた取り付けネジと螺合することが好ましい。
【００１６】
ネジ孔には、一方の端部に、ネジ孔と螺合する雄ネジ部を有し、他方の端部に、フロントグリルと嵌合する嵌合ピンが形成されたピン部材を取り付けることが可能であり、フロントグリルは、ピン部材を介して筐体に取り付けられることが好ましい。
【発明の効果】
【００１７】
本発明によれば、スピーカユニットを床に対向させる姿勢と対向しない姿勢の２つの設置姿勢の使い分けができるので、設置スペースやコスト負担の増加を招くことなく、用途に応じて高音質を実現することができる。
【図面の簡単な説明】
【００１８】
【図１】第１の姿勢で設置したスピーカ装置の外観斜視図である。
【図２】スピーカ装置を第１の姿勢で設置する際、脚部及びフロントグリルを取り付ける前の分解斜視図である。
【図３】取り付け孔周辺の拡大斜視図である。
【図４】フロントグリルを裏面側から視た斜視図である。
【図５Ａ】第１の姿勢で設置したスピーカ装置の側面図である。
【図５Ｂ】第２の姿勢で設置したスピーカ装置の側面図である。
【図６】第２の姿勢で設置したスピーカ装置の外観斜視図である。
【図７】スピーカ装置を第２の姿勢で設置する際、脚部を取り付ける前の分解斜視図である。
【図８】第２実施形態のスピーカ装置に、フロントグリルを取り付ける前の分解斜視図である。
【図９Ａ】第２実施形態のスピーカ装置を第１の姿勢で設置した側面図である。
【図９Ｂ】第２実施形態のスピーカ装置を第２の姿勢で設置した側面図である。
【図１０】第３実施形態のスピーカ装置の電気的構成を示すブロック図である。
【図１１】第３実施形態のスピーカ装置に、フロントグリルを取り付ける前の分解斜視図である。
【図１２Ａ】第３実施形態のスピーカ装置を第１の姿勢で設置した側面図である。
【図１２Ｂ】第３実施形態のスピーカ装置を第２の姿勢で設置した側面図である。
【図１３】第１面と第２面とが斜交するスピーカ装置の変形例を示す側面図である。
【発明を実施するための形態】
【００１９】
［第１実施形態］
図１及び図２に示すように、スピーカ装置２は、スピーカユニット３が取り付けられた略直方体形状の筐体４を備える。このスピーカ装置２は、スピーカユニット３として低音用スピーカユニットのみを用いたサブウーハである。サブウーハは、例えば、高音域から低音域までの全域をカバーするメインスピーカ装置（フロントスピーカとも呼ばれる）と組み合わせて使用される。メインスピーカ装置は、一般に、高音域までの広い音域をカバーするため、低音域は不足しがちである。サブウーハは、主として、メインスピーカ装置だけでは不足する低音域を補うために使用される。ここで、低音には、通常の低音と呼ばれる２０ヘルツ〜３０ヘルツの音域よりも周波数が低く、振動として体感される音域の重低音も含まれる。また、スピーカ装置２は、増幅回路（図示せず）を内蔵するアクティブ型のサブウーハである。
【００２０】
筐体４は、スピーカユニット３が配置されるバッフル面である第１面４Ａと、第１面４Ａと一辺４Ｃが接する第２面４Ｂとを有する。第２面４Ｂは、入力端子６、７などが配置される端子配置面となっている。筐体４は直方体形状であるため、第１面４Ａと、第２面４Ｂとは互いに直交する。なお、第１面４Ａ、及び第２面４Ｂを除く、筐体４の各面は、凹凸が無い平坦面となっている。
【００２１】
第１面４Ａは、円形状のスピーカユニット３が中央に配され、スピーカユニット３の周囲にパイロットランプ５が設けられている。パイロットランプ５は、第１面４Ａにおいて、第２面４Ｂと接する一辺４Ｃよりも、対向する対辺４Ｄに近い位置に配置されている。パイロットランプ５は、スピーカ装置２の作動状況、例えば電源のオン／オフ状態を表すものであり、例えばＬＥＤランプが用いられる。
【００２２】
第２面４Ｂには、入力端子６、７と、操作部８、９と、電源スイッチ１０とが設けられている。入力端子６は、駆動電力を入力するための電源用端子であり、電源ケーブル１１のコネクタ１２が接続される。入力端子７は、電気信号である音声信号を入力するための信号用端子であり、信号ケーブル１３のコネクタ１４が接続される。入力端子７は、例えば、左右の音声信号をそれぞれ入力可能な２つの端子からなるステレオタイプの入力端子である。なお、一方の端子をモノラル用の端子として使用することも可能である。入力端子６、７は、コネクタ挿入方向が第２面４Ｂに対して直交する方向に形成されており、コネクタ１２、１４は、第２面４Ｂに対して直交する方向から挿入することにより入力端子６、７と係合する。
【００２３】
信号ケーブル１３は、コネクタ１４とは反対の一端が、ステレオアンプ（図示せず）に接続される。ステレオアンプには、例えば、記録メディアに記録された音源を再生する再生機器（図示せず）が接続され、再生機器から出力された音声信号が、ステレオアンプ及び信号ケーブル１３を介してスピーカ装置２に入力される。電源ケーブル１１はコネクタ１２とは反対の一端が商用電源に接続され、商用電源から供給された駆動電力がスピーカ装置２に入力される。
【００２４】
操作部８は、音量調節用の操作つまみであり、回転操作により、スピーカユニット３が発する音量が調節される。操作部９は、周波数調節用の操作つまみであり、回転操作により、スピーカユニット３が発する音の周波数帯域が調節される。周波数帯域の調節は、例えば、入力される音声信号の周波数帯域のうち高音側の出力をカットするためのカットオフ周波数を設定したり、組み合わせて使用するメインスピーカ装置がカバーする周波数帯域の下限に合わせて、低音域を担うスピーカユニット３の周波数帯域の上限を設定するなど、ユーザの好みに応じて行われる。
【００２５】
筐体４は、第１面４Ａ及び第２面４Ｂの両方にそれぞれ取り付け孔１５，１６を備える。取り付け孔１５、１６は、それぞれ、第１面４Ａ及び第２面４Ｂの各面の４隅付近に設けられる。取り付け孔１５、１６は、筐体４を支持する脚部１７を着脱自在に取り付けるための取り付け部である。図３に示すように、取り付け孔１５，１６は、内周面に雌ネジが形成されたネジ孔である。脚部１７は、柱状体（本例では円柱状）であり、その一端には、取り付けネジ１８が一体に設けられている。取り付けネジ１８は外周面に雄ネジが形成されており、取り付け孔１５，１６と螺合する。これにより、脚部１７を取り付け孔１５、１６に確実に取り付けることができる。スピーカ装置２は、重低音を発するため振動が大きいため、筐体４と脚部１７はネジ止めによってしっかりと固定する必要がある。
【００２６】
第１面４Ａの取り付け孔１５は、スピーカユニット３を保護するフロントグリル２０と、脚部１７とを選択的に取り付け可能である。フロントグリル２０は、スピーカユニット３を覆うことにより、スピーカユニット３のコーンを損傷から保護する。また、スピーカユニット３に付着する塵や埃を低減する役割もある。図４に示すように、フロントグリル２０は、枠体２１と、この枠体２１の表面を覆い、一体に取り付けられた保護用のネット２２とを有する。ネット２２には、例えば、繊維素材で編まれたサランネットが使用される。もちろん、ネット２２として、金属を素材とするメッシュ状の金属ネットを使用してもよい。
【００２７】
フロントグリル２０は、ピン部材２３を介して筐体４に取り付けられる。ピン部材２３は、一方の端部に位置する雄ネジ部２３ａと、他方の端部に位置する嵌合ピン２３ｂと、雄ネジ部２３ａと嵌合ピン２３ｂとの間を繋ぐスペーサ部２３ｃとを有する。雄ネジ部２３ａは、外周面に脚部１７の取り付けネジ１８と同じ雄ネジが形成されており、取り付け孔１５と螺合する。嵌合ピン２３ｂは、枠体２１の裏面側、４隅付近に設けられた嵌合穴２１ａと嵌合する。
【００２８】
スピーカ装置２は、図１及び図５Ａに示す第１の姿勢と、図６及び図５Ｂに示す第２の姿勢とで使用可能である。第１の姿勢は、スピーカユニット３が配されるバッフル面となる第１面４Ａが前面に、且つ第２面４Ｂが底面となる姿勢である。図２に示すように、第１の姿勢では、底面となる第２面４Ｂが、スピーカ装置２が設置される床と対向する。第２面４Ｂの取り付け孔１６には、取り付けネジ１８により脚部１７が取り付けられる。
【００２９】
第２面４Ｂには、入力端子６、７及び操作部８、９のように、突起物が複数設けられている。特に入力端子６、７に、コネクタ１２、１４が接続された場合、突出量が大きくなる。取り付け孔１６に脚部１７を取り付けることで第２面４Ｂと、設置する床との間に適切な空間を設けることができるため、突起物が床に当接することがなく、脚部１７が筐体４を支持することができる。脚部１７の軸方向の長さは、突起物の突出量以上の長さを有する。第２面４Ｂに脚部１７を取り付けることにより、スピーカ装置２は、第１面４Ａが前面に、且つ第２面４Ｂが底面となる第１の姿勢で設置することができる。また、第１の姿勢においては、入力端子６、７などの突起物が配される第２面４Ｂが底面側に位置することになるため、突起物が目立ちにくくなり、見栄えもよい。また、パイロットランプ５は、スピーカユニット３と同様に第１面４Ａに設けられているので、前方から点灯状態を確認しやすい。
【００３０】
さらに、この第１の姿勢では、第１面４Ａには、ピン部材２３を介してフロントグリル２０を取り付けることができる。フロントグリル２０が取り付けられている場合でも、ネット２２の編み目から光が漏れるため、パイロットランプ５の点灯状態を確認することができる。なお、第１面４Ａと、フロントグリル２０との間は、ピン部材２３のスペーサ部２３ｃの分だけ隙間が設けられるが、隙間が大きいと塵等の進入量が多くなり、スピーカユニット３への塵などの付着量が多くなる。塵等などの進入量を軽減するために、スペーサ部２３ｃの軸方向の長さを短くして、隙間を小さくすることが好ましい。
【００３１】
一方、図６及び図５Ｂに示すように、第２の姿勢は、第１面４Ａが底面となる姿勢である。スピーカ装置２を第２の姿勢で設置する場合には、図７に示すように、第１面４Ａの取り付け孔１５に取り付けネジ１８を螺合させて脚部１７を取り付ける。この第２の姿勢の場合、例えば、第２面４Ｂとは反対側の面４Ｅ（図６参照）が前面となるように設置される。第２の姿勢において、面４Ｅを前面にすれば、第２面４Ｂが背面となるため、前方からは第２面４Ｂに設けられた突起物が目立たない。
【００３２】
また、パイロットランプ５は、第１面４Ａにおいて、第２面４Ｂと接する一辺４Ｃよりも、対辺４Ｄに近い位置に配置されている。これは、第２の姿勢においても、パイロットランプ５の点灯状態を前方側から確認できるようにするための工夫である。すなわち、第２の姿勢において、面４Ｅを前面として設置した場合には、図５Ｂに示すように、底面となる第２面４Ｂにおいて、パイロットランプ５が、前面となる面４Ｅに近い位置に配置されることになる。このため、筐体４の前方からパイロットランプ５の点灯状態、具体的には、スピーカ装置２を設置する床に照射されるパイロットランプ５の光から点灯状態を確認することができる。このように、第１面４Ａにおけるパイロットランプ５の位置を工夫することで、図５Ａ及び図５Ｂに示すように、第１の姿勢及び第２の姿勢のいずれにおいても、パイロットランプ５は前面側に位置することになり、筐体４の前方からパイロットランプ５の点灯状態を確認することができる。
【００３３】
このように、スピーカ装置２は、第１の姿勢及び第２の姿勢のいずれかを選択して設置することができる。一般に、バッフル面の第１面４Ａが前面となる第１の姿勢は、音の指向性を確保できるため、オーディオ用途に適している。一方、第１面４Ａが底面となり、スピーカユニット３を床に対向させる第２の姿勢は、床の反響が大きくなり重低音の迫力が増加するため、ホームシアター用途に適している。
【００３４】
以上のように、スピーカ装置２は、第１面４Ａ及び第２面４Ｂに取り付け孔１５、１６を設けたから、取り付け孔１５、１６に選択的に脚部１７を取り付けることで、第１の姿勢と、第２の姿勢のいずれかで設置することが可能である。そのため、ユーザは、第１の姿勢と第２の姿勢を使い分けることで、用途に応じて高音質を実現することが可能となる。また、スピーカ装置２は、用途に応じて複数台のサブウーハを購入する場合と比較して、設置スペースやコスト負担が増加することもない。
【００３５】
さらに、第１の姿勢及び第２の姿勢を使い分けることが可能なスピーカ装置２は、次のような付随的な効果を得ることもできる。例えば、上述したとおり、特許文献４、５に記載のバッフル面を筐体の底面とする底面タイプのサブウーハは振動が大きい。そのため、一戸建ての住宅であれば、隣家への影響が比較的少ないため、問題無く使用できる場合が多いが、マンションなどの集合住宅においては、隣接住戸への配慮から使い難い場合も多いというように、居住環境によっては使えない場合もある。そのため、例えば、ユーザが一戸建てからマンションなどの集合住宅へ引っ越した場合には、それまで使用していたサブウーハが使えなくなってしまうことが起こり得る。こうした場合でも、第１の姿勢と第２の姿勢を使い分けることができるスピーカ装置２ならば、隣家への影響が少ない戸建て住宅においては第２の姿勢で使用して重低音の迫力を楽しみ、隣接住戸への配慮が必要なマンションにおいては、振動が比較的少ない第１の姿勢を選択して使用するというように、居住環境の変化にも対応することができる。
【００３６】
［第２実施形態］
上記第１実施形態では、第２の姿勢においては、フロントグリル２０を使用しない例で説明したが、例えば図８、図９Ａ、図９Ｂに示す第２実施形態のように、第２の姿勢において、フロントグリル２０を第２面４Ｂに取り付け可能な構成にして、第２の姿勢においてもフロントグリル２０を使用できるようにしてもよい。第２実施形態では、第１実施形態と同一の部分及び部材については同一の符号を示して説明を省略し、第１実施形態との相違点を中心に説明する。
【００３７】
本実施形態のスピーカ装置３０は、第２面４Ｂに、第１実施形態の入力端子６、８の代わりに入力端子３１、３２が取り付けられる。入力端子３１、３２は、コネクタ挿入方向が第２面４Ｂと平行になっている点で、入力端子６、８と異なる。コネクタ挿入方向を第２面４Ｂと平行にすることで、第１実施形態と比較して、第２面４Ｂからのコネクタ１２、１４及びケーブル１１、１３の突出量を低減することができる。入力端子３１、３２は、コネクタ挿入方向以外は、第１実施形態の入力端子６、７と同様にそれぞれ電源供給用の入力端子、及び信号用の入力端子である。
【００３８】
第２面４Ｂの取り付け孔１６も、フロントグリル２０と、脚部１７とを選択的に取り付け可能である。ピン部材２３の雄ネジ部２３ａは、取り付け孔１６と螺合し、嵌合ピン２３ｂは、嵌合穴２１ａと嵌合する。これにより、フロントグリル２０は、第１面４Ａと同様に、ピン部材２３を介して取り付けることができる。
【００３９】
上述したように、コネクタ挿入方向が第２面４Ｂと平行な入力端子３１、３２により、スピーカ装置３０は、第２面４Ｂからのコネクタ１２、１４等の突出量が抑えられる。そのため、第２面４Ｂにフロントグリル２０を取り付ける場合には、第２面４Ｂとフロントグリル２０との間に、コネクタ１２、１４及び入力端子３１、３２を収容するための隙間を確保しなければならないが、突出量を抑えることにより、この隙間を小さくすることができる。なお、操作部８、９、電源スイッチ１０については、軸方向の長さを短く形成することで突出量を抑えることができる。また、第２面４Ｂとフロントグリル２０との隙間をさらに小さくするために、フロントグリル２０の裏面に、入力端子３１、３２等の突起物や電源ケーブル１１及び信号ケーブル１３を収容する溝を設けてもよい。
【００４０】
図９Ａに示すように、スピーカ装置３０を、第１面４Ａが前面に、且つ第２面４Ｂが底面となる第１の姿勢で設置する場合は、第１実施形態と同様に、第２面４Ｂに脚部１７が取り付けられ、第１面４Ａには、ピン部材２３を介してフロントグリル２０が取り付けられる。
【００４１】
図９Ｂに示すように、スピーカ装置３０を、第１面４Ａを床面とする第２の姿勢で設置する場合には、第１面４Ａに脚部１７を取り付け、第２面４Ｂには、ピン部材２３を介してフロントグリル２０を取り付ける。第２面４Ｂにフロントグリル２０を取り付けた状態では、第２の姿勢において、スピーカ装置３０を、第１実施形態と同様に、第２面４Ｂを背面にして設置することもできるし、第２面４Ｂを前面にして設置することも可能である。フロントグリル２０が、入力端子３１、３２や、そこから引き出される電源ケーブル１１及び信号ケーブル１３を覆って、第２面４Ｂの目隠しとして機能するからである。
【００４２】
また、第２実施形態のスピーカ装置３０においても、パイロットランプ５は、上記第１実施形態と同様に、第１面４Ａにおいて、第２面４Ｂと接する一辺４Ｃよりも、対向する対辺４Ｄに近い位置に配置されている。しかし、これに限らず、一辺４Ｃに近い位置に配置してもよく、一辺４Ｃの近くと、対辺４Ｄの近くの両方に設けてもよい。これにより、第２の姿勢において第２面４Ｂを前面に設置した場合でも、パイロットランプ５は前面側に位置することになり、筐体４の前方からパイロットランプ５の点灯状態を確認しやすい。
【００４３】
［第３実施形態］
図１０、図１１、図１２Ａ、図１２Ｂに示す第３実施形態のスピーカ装置４０のように、ワイヤレス化、すなわち駆動電力の供給に非接触電力伝送を採用して、電源ケーブル１１を使用しない給電を可能とし、且つ電気信号の入力方式として無線方式を採用することにより、信号ケーブル１３を使用しない音声信号の受信を可能としてもよい。この場合には、第２面４Ｂから、電源ケーブル１１や信号ケーブル１３を接続する入力端子を無くすことができる。これにより、第２面４Ｂの見栄えをよくすることができる。
【００４４】
本実施形態のスピーカ装置４０は、増幅回路４１と、信号入力回路４２と、無線Ｉ／Ｆ（InterFace）４３と、電源回路４４と、受電部４５とを備える。増幅回路４１、信号入力回路４２、無線Ｉ／Ｆ４３、電源回路４４、受電部４５は、筐体４に収容される。
【００４５】
無線Ｉ／Ｆ４３は、再生機器４８が接続されたステレオアンプ４６から無線で送られる音声信号（電気信号）を受信する。信号入力回路４２は、無線Ｉ／Ｆ４３が受信した音声信号を増幅回路４１に入力する。増幅回路４１は、音声信号を増幅してスピーカユニット３に出力する。
【００４６】
受電部４５は、例えば受電コイルから構成される。受電部４５と給電装置４７に設けられる送電コイルは対向して配置される。給電装置４７に設けられた送電コイルに電流が流されると、磁束を媒介とする電磁誘導により、送電コイルから受電コイルに対して起電力が誘起されて、受電部４５に電力が伝送される。受電部４５に給電された電力は、電源回路４４に出力される。電源回路４４は、増幅回路４１などスピーカ装置２の各部に駆動電力を出力する。
【００４７】
スピーカ装置４０をワイヤレス化することにより、図１１に示すように、第２面４Ｂには、操作部８、９及び電源スイッチ１０を除いて、入力端子、及び入力端子に接続されるコネクタ、ケーブル等の突起物が無くなる。突起物は操作部８、９及び電源スイッチ１０だけなので、第２面４Ｂからの突出量を抑えやすい。そのため、第２の姿勢において、フロントグリル２０を第２面４Ｂに取り付ける場合でも、第２実施形態のスピーカ装置３０と比較して、第２面４Ｂとフロントグリル２０との隙間をより小さくすることができる。
【００４８】
図１２Ａに示すように、スピーカ装置４０を、第１面４Ａが前面になる第１の姿勢で設置する場合には、第１及び第２実施形態と同様に、第２面４Ｂに脚部１７を取り付け、第１面４Ａには、ピン部材２３を介してフロントグリル２０を取り付ける。
【００４９】
図１２Ｂに示すように、スピーカ装置４０を、第１面４Ａが底面となる第２の姿勢で設置する場合には、第２実施形態と同様に、第１面４Ａに脚部１７を取り付け、第２面４Ｂには、ピン部材２３を介してフロントグリル２０を取り付ける。スピーカ装置４０は、第２の姿勢においては、第２実施形態と同様に、フロントグリル２０が取り付けられる第２面４Ｂを前面としてもよいし、背面としてもよい。第２実施形態のスピーカ装置３０と異なり、スピーカ装置４０の第２面４Ｂには、操作部８、９及び電源スイッチ１０だけが設けられており、入力端子、及び入力端子に接続されるコネクタ、ケーブル類も無い。そのため、第２面４Ｂを前面とした場合でも、床に配設されるケーブル類が目立つこともないため、スピーカ装置４０は、第２実施形態のスピーカ装置３０と比べて、見栄えをよくすることができる。
【００５０】
また、パイロットランプ５は、上記第１及び２実施形態と同様に、第１面４Ａにおいて、第２面４Ｂと接する一辺４Ｃよりも、対向する対辺４Ｄに近い位置に配置されているが、これに限らず、第２実施形態において言及したとおり、第２面と接する一辺４Ｃに近い位置に配置してもよく、一辺４Ｃの近くと、対辺４Ｄの近くの両方に設けてもよい。
【００５１】
なお、上記第３実施形態では、受電部４５で電力を受電する非接触電力伝送の方式の一例として電磁誘導方式を上げているが、非接触電力伝送としてはこれに限らず、送電コイルに高周波電力を入力し、送電コイルと受電コイルとの間の磁界共鳴現象により電力を伝送する磁界共鳴方式、対向する１対の平板電極間の容量結合により電力を伝送する容量結合方式（電界結合方式とも呼ばれる）、１対のアンテナ間で電波を送受信して電力を取り出す電波方式などを適用してもよい。
【００５２】
また、上記第３実施形態では、操作部８、９及び電源スイッチ１０が第２面４Ｂに設けられているが、リモコン操作により操作信号を受信できるようにすれば、操作部８、９などを無くすことも可能である。これにより、第２面４Ｂを凹凸の無い平坦面にすることができるため、より見栄えをよくすることができる。
【００５３】
なお、上記各実施形態では、端子配置面である第２面４Ｂに、入力端子に加えて、操作部８、９及び電源スイッチ１０を設けているが、第２面４Ｂには入力端子のみを設けて、操作部８、９及び電源スイッチ１０については、筐体４の他の面に設けてもよい。例えば、第１の姿勢や第２の姿勢において、筐体４の側面となる面に操作部を設けてもよい。この場合、第１の姿勢や第２の姿勢のいずれにおいても、操作部が目立つ位置に設けられる。そのため、外観の見栄えは犠牲になるが、第１の姿勢や第２の姿勢のいずれにおいても、前方側からの良好な操作性を確保することができる。
【００５４】
また、上記各実施形態では、取り付け部として、第１面４Ａ及び第２面４Ｂに取り付け孔１５、１６を設けているが、これに限らず、第１面４Ａ及び第２面４Ｂから突出する取り付け凸部を設けて、この取り付け凸部に脚部１７又はフロントグリル２０を着脱自在に取り付けるようにしてもよい。また、上記各実施形態では、ピン部材２３の嵌合ピン２３ｂとフロントグリル２０の嵌合穴２１ａとを嵌合させてフロントグリル２０を取り付けているが、これに限らず、ピン部材２３またはフロントグリル２０の一方に磁石を、他方に磁性体を設けて、磁力によりフロントグリル２０を取り付けるようにしてもよい。また、フロントグリル２０に取り付け孔１５、１６に嵌入する突出ピンを設けて、フロントグリル２０を、ピン部材２３を介さずに、第１面４Ａ又は第２面４Ｂに直接取り付けるようにしてもよい。
【００５５】
また、上記各実施形態では、バッフル面となる第１面４Ａ及び端子配置面となる第２面４Ｂのみに取り付け孔１５、１６を設けているが、これに限らず、単なる平坦面である、筐体４の他の面についてもフロントグリル２０または脚部１７を取り付け可能とする取り付け部を設けてもよい。この場合、フロントグリル２０は、スピーカユニット３の保護機能や、端子配置面の目隠しとして機能するのではなく、単なる化粧板として使用される。
【００５６】
また、上記各実施形態では、第１面４Ａと、第２面４Ｂとが直交する直方体形状の筐体４を一例として上げているが、筐体４の形状としては、これに限らず、第１面４Ａと、第２面４Ｂとが一辺４Ｃで接する形状であればよく、例えば図１３に示すスピーカ装置５０のように、一辺４Ｃで接する第１面４Ａと第２面４Ｂとが斜交し、側面から見た形状が台形または三角形でもよい。あるいは、一辺４Ｃで接する第１面４Ａと第２面４Ｂとが斜交し、一辺４Ｃと対向する対辺４Ｄ、４Ｆを曲面で繋いだ形状でもよい。
【００５７】
上記各実施形態では、スピーカユニット３として低音用スピーカユニットのみを用いたサブウーハを一例として上げているが、これに限らず、例えば、中音用スピーカユニットなどの他の音域のスピーカユニットを用いたスピーカ装置に適用してもよいし、異なる音域の複数のスピーカユニットを組み合わせたスピーカ装置に適用してもよい。もちろん、バッフル面を底面とする第２の姿勢は、床を反響させることにより迫力ある重低音を生み出す効果があるため、低音用スピーカユニットのみを用いたサブウーハにおいて最も有用性がある。そのため、本発明のスピーカ装置はサブウーハに適用することが最も好ましい。また、増幅回路を内蔵しないパッシブ型のスピーカ装置に適用することも可能である。その他、本発明の趣旨を逸脱しない範囲で、種々の変更を加えてもよいことはもちろんである。
【符号の説明】
【００５８】
２、３０、４０、５０  スピーカ装置
３  スピーカユニット
４  筐体
４Ａ  第１面
４Ｂ  第２面
１５、１６  取り付け孔
１７  脚部
１８  取り付けネジ
２０  フロントグリル
２３  ピン部材
【図１】
2016146557.tif 000003
【図２】
2016146557.tif 000004
【図３】
2016146557.tif 000005
【図４】
2016146557.tif 000006
【図５Ａ】
2016146557.tif 000007
【図５Ｂ】
2016146557.tif 000008
【図６】
2016146557.tif 000009
【図７】
2016146557.tif 000010
【図８】
2016146557.tif 000011
【図９Ａ】
2016146557.tif 000012
【図９Ｂ】
2016146557.tif 000013
【図１０】
2016146557.tif 000014
【図１１】
2016146557.tif 000015
【図１２Ａ】
2016146557.tif 000016
【図１２Ｂ】
2016146557.tif 000017
【図１３】
2016146557.tif 000018